(57)【要約】【課題】種床や苗床の種や苗を鳥類から保護すること。【解決手段】  リング状に両端を連結できる水平方向の帯部を設け、この帯部上縁に櫛歯を複数立設し、かつ、帯部下縁に固定用杭部を複数設けて、地面に固定できるようにした。【選択図】  図１
2007000129.tif 000002
【特許請求の範囲】
【請求項１】
水平方向に延びるとともに、一方の端と他方の端とが互いに連結可能とした帯部と、帯部の上縁から上方に延びた複数の櫛歯からなる櫛歯状突部と、前記帯部の下縁から下方に延びた複数の固定用杭部とを備えた鳥類被害防止装置。
【請求項２】
前記帯部は、上縁から下縁までの幅が、５ｍｍ以上５００ｍｍ以下であることを特徴とする請求項１記載の鳥類被害防止装置。
【請求項３】
前記櫛歯状部は、各櫛歯の中心点間距離が１０ｍｍ〜３０ｍｍであることを特徴とする請求項１記載の鳥類被害防止装置。
【請求項４】
前記櫛歯状部は、横方向に突出した枝状部を有することを特徴とする請求項１ないし３のいずれかに記載の鳥類被害防止装置。
【請求項５】
始端と終端とを連結して、帯部を円又は多角形に形成してなる、鳥類被害防止装置。
【請求項６】
帯部の一端に連結用孔を有するとともに、他端に前記連結用孔に挿入係止される突起状係止具を有することを特徴とする請求項１ないし４のいずれかに記載の鳥類被害防止装置。
【請求項７】
前記帯部と、櫛歯状突部と、固定用杭部とからなるユニットを複数備え、一方のユニットの帯部一端を、他方のユニットの帯部他端に連結し、当該連結時に、櫛歯状突部の一つと、これとは異なる他の櫛歯状突部とに跨って、帯部間に架設される架け橋部材を備えた、複数ユニットからなる請求項１ないし６のいずれかに記載の鳥類被害防止装置。
【請求項８】
前記帯部と、櫛歯状突部と、固定用杭部とからなるユニットを複数備え、一方のユニットの帯部一端に、他方のユニットの帯部他端を所定角度にて交差させて連結し、全体として網状に設置可能とすることを特徴とする、複数ユニットからなる請求項７記載の鳥類被害防止装置。
【発明の詳細な説明】
【技術分野】
【０００１】  本発明は、田畑や苗床又は植木鉢に蒔いた作物の種や苗が鳥類の餌食になることを防止して種苗を保護する、鳥類被害防止装置に関する。
【背景技術】
【０００２】  従来より、田畑や苗床又は植木鉢に種を蒔き、あるいは苗を植えたとき、すずめやカラスなどの鳥類が飛来し、蒔いた種や植えた苗を食べてしまうという被害があり、これを防止する必要があった。【０００３】  これらを防止するため、例えば、半透明または透明のプラスチック・ビニ−ル・その他の形状を維持する強度のある材料で、穴のあるガ−ド部を、止め用フチ部に付いている止め用穴で、種床や苗の上に止め用クイ部で固定する装置が知られている（特許文献１）。【０００４】  また、鳥類の飛来を防止するため、図２に示したように、一対の基台３０と、これら基台３０間に架け渡された針山体２０とを備えており、針山体２０は、支軸としての棒状の筒体１０と、該筒体１０に所定の間隔で取り付けられる複数の針状突起２２を有する針状体とを備えている。基台３０は、リング状の永久磁石３１を備えている鳥類飛来防止装置が知られている。（特許文献２）【０００５】
【特許文献１】特開平７−３１２９９７
【特許文献２】特開２００２−１５９２５４
【発明の開示】
【発明が解決しようとする課題】
【０００６】  しかし、特許文献１では、半透明または透明のプラスチック・ビニ−ルを展設しなければならず設置作業が面倒である。また、特許文献２記載の装置は、屋外高所等に取付、取り外しをすることは容易であろうが、種床や苗床での設置はかえって難しい。【０００７】  本発明は、このような点に鑑みなされたもので、田畑において種床や苗床などへの設置が容易で、効果的に鳥類から種や苗を守ることのできる鳥類被害防止装置を提供することを課題とする。【０００８】  さらに屋外高所等においても取り付け、取り外し工事が簡単な鳥類飛来防止装置を提供することを課題とする。
【課題を解決するための手段】
【０００９】  上記課題を達成するために本発明に係る鳥類防止装置は、櫛歯状の突起（櫛歯）を上方に向けて設置することを容易にした鳥類被害防止装置であり、水平方向に延びるとともに、一方の端と他方の端とが互いに連結可能とした帯部と、帯部の上縁から上方に延びた複数の櫛歯からなる櫛歯状突部と、前記帯部の下縁から下方に伸びた複数の固定用杭部とを備えたことを特徴とするものである。【００１０】  帯部は、一方の端に例えば突起状で先端が肥大した係止具を有するとともに、他方の端部に、この係止具を挿入係止させる溝や孔を有し、この溝や孔に前記係止具を挿入することで連結し、全体としてリング状となる。そして、地面に蒔いた種や苗が、リング状となった帯部内となるように、固定用杭ｊ部を地面に突き刺し，全体を固定する。【００１１】  また、前記櫛歯状部は、横方向に突出した枝状部を有する形状とすることも可能である。櫛歯状部の先端は、尖った形状でもよいが、アールを付けた形状としてもよい。【００１２】帯部を連結するためには、帯部の両端を合わせてステープラーで結束してもよいが、帯部の一端に連結用孔を設け、他端に前記連結用孔に挿入係止される突起状係止具を設けて両者を係止させて連結するようにした方が簡易である。【００１３】前記帯部と、櫛歯状突部と、固定用杭部とからなるユニットを複数備え、一方のユニットの帯部一端を、他方のユニットの帯部他端に連結するようにして大きな円形のものとしてもよい。この場合、連結したユニット数が大きすぎると、円の中に鳥が入り込むので、当該連結時に、櫛歯状突部とに跨って、帯部間に架設される架け橋部材をさらに設けると、当該架け橋部材が鳥の翼に当たるので、取り除けとなる。【００１４】前記帯部と、櫛歯状突部と、固定用杭部とからなるユニットを複数備え、一方のユニットの帯部一端に、他方のユニットの帯部他端を所定角度にて交差させて連結し、全体として網状に設置可能とするようにしてもよい。交差角度が９０度であると、田形に連結することとなるが、９０度以外となると，菱形の編目状になる。
【発明の効果】
【００１５】  本発明の装置を地面に設置すると、地面から櫛歯が突出した状態となり、地面に蒔かれた種や苗は帯部に沿ってリング状となった複数の櫛歯により囲まれるので、飛来した鳥類は櫛歯が邪魔になって、これらをくちばしでつつきにくくなり、よって、種や苗は鳥類から保護される。【００１６】  本発明の装置は、帯部と、櫛歯状突部と、固定用杭部とからなるものを１ユニットとしたとき、１ユニットの帯部両端を連結し、ユニットを２つ用いて、一つのユニットの帯部一端を、他方のユニットの帯部他端に連結して、大きな円形のものにとし地面に設置することができる。【００１７】  本発明の装置は、帯部と、櫛歯状突部と、固定用杭部とからなるユニットを複数備え、一方のユニットの帯部一端に、他方のユニットの帯部他端を所定角度、ここでは９０度、にて交差させて連結し、全体として網状にして地面に設置することができる。
【発明を実施するための最良の形態】
【００１８】  図１に示したように、実施例の装置は、ポリプロピレン製樹脂板から一体に打ち抜き加工にて製造されたもので、水平方向に延びる帯部１と、複数の櫛歯からなる櫛歯状突部２と、前記帯部の下縁から下方に延びた複数の固定用杭部３とを備えている。【００１９】  帯部の一方の端には、先端が矢印形状となって肥大した係止部４が設けられ、他方の端部には、当該係止部の先端が挿入係止される係止孔５が穿設されている。これら係止部と係止孔により帯部の一方の端と他方の端とが互いに連結可能となっている。帯部は、上縁から下縁までの幅が、５ｍｍ〜５００ｍｍ以下が、これらわ植物の種類，苗の背丈によって適宜選択される。【００２０】  また、前記櫛歯状部は、各櫛歯の中心点間距離が１０ｍｍ〜３０ｍｍであることが好ましく、これも、植える苗のサイズや、防止対象となる鳥類の大きさにもよる。前記複数の固定用杭部の中心間距離は問わないが、装置を地面に固定できれば、その距離、固定用杭部の数は問わない。【００２１】  なお、図１の例では帯部の全長は、係止具を入れて約２５０ｍｍ、その幅は１０ｍｍ、櫛歯状部の長さは１００ｍｍ、その中心点間距離は２０ｍｍである。固定用杭部の長さは、６０ｍｍ、幅は１２ｍｍである。固定用杭部の先端は鋭角にしてある。【００２２】  また、本装置の全体の色を種々の色に着色しておくことも可能である。
本発明の装置を地面に設置すると、地面から櫛歯が突出した状態となり、地面に蒔かれた種や苗は帯部に沿ってリング状となった複数の櫛歯により囲まれるので、飛来した鳥類は櫛歯が邪魔になって、これらをくちばしでつつきにくくなり、よって、種や苗は鳥類から保護される。ことなる色の装置を複数並べて設置し，模様を形成することもでき、これにより、花壇や田畑に花が咲いた如きにすることもできる。【００２３】  次に、図２には、他の係止部の例を示してある。これは鋸歯状となるような段部を連続して設けたもので、孔から抜けにくくしている。【００２４】  また、図３には、さらに他の係止部の例を示してある。これは帯部の一端部上縁に上下方向の切り込み（イ）を設けるとともに、帯部の他端部下縁に上下方向の切り込み（ロ）を設け、その両者を噛み合わせて連結するものである。【００２５】  図４〜図６は、本装置の使い方を示したものである。
前記帯部と、櫛歯状突部と、固定用杭部とからなるものを１ユニットとしたとき、１ユニットの帯部両端を連結したのが図４である。ユニットを２つ用いて、一つのユニットの帯部一端を、他方のユニットの帯部他端に連結するようにして大きな円形のものとしたのが図５である。【００２６】この場合、連結したユニット数が大きすぎると、円の中に鳥が入り込むので、当該連結時に、櫛歯状突部の一つと、これとは異なる他の櫛歯状突部とに跨って、帯部間に架設される架け橋部材６をさらに設けると、当該架け橋部材６が鳥の翼に当たるので、鳥よけとなる。架け橋部材６をさらに設けると，当該掛け橋部材６が鳥の翼に当たるので，取り除けとなる。掛け橋部材６の両端には，帯部に引っかけるための切り込み（図３のロの如き）が両端部に設けられている。【００２７】図６は、前記帯部と、櫛歯状突部と、固定用杭部とからなるユニットを複数備え、一方のユニットの帯部一端に、他方のユニットの帯部他端を所定角度、ここでは９０度、にて交差させて連結し、全体として網状に設置したものである。【００２８】  尚、本実施例では、帯部と、櫛歯状突部と、固定用杭部とがプラスチック（ポリプロピレン）による一体物であるが、これらをそれぞれ別の部材として作り、接着その他の手段で違いに接合してもよい。【００２９】  本装置は、１ユニットの帯部を連結して円形とし、さらに、複数の櫛歯状突部を先端部分で集結して紐などで結束すると、かご状になるので、その中に苗が収まるようにしてもよい。さらに、複数の櫛歯状突部を先端部分で集結して紐などで結束した状態のものは、ビルの屋上などの雨水排水口に設置してゴミが雨水排水口に入るのを防止する、排水口カバーとしても利用できる。【００３０】  さらに、苗床などに農業用シートを敷設する場合などに、本装置を上からシートを貫通するように設置すれば、シート押さえとしても兼用できる。
【図面の簡単な説明】
【００３１】
【図１】本発明の一例を示す展開図
【図２】本発明の帯部連結手段の他の例を示すもので（ａ）は帯状態を示し、（ｂ）は円形状に連結したものである。
【図３】本発明の帯部連結手段のさらに他の例を示す図
【図４】本発明の装置（１ユニット）両端を連結した状態を示す図
【図５】本発明の装置（２ユニット）を連結した状態を示す図
【図６】本発明の装置（複数ユニット）両端を交差連結した状態を示す図
【符号の説明】
【００３２】１‥帯部
２‥櫛歯状突部
３‥固定用杭部
４‥係止部
５‥係止孔
６‥架け橋部材
７‥苗（新芽）
８‥切欠き部
【図１】
2007000129.tif 000003
【図２】
2007000129.tif 000004
【図３】
2007000129.tif 000005
【図４】
2007000129.tif 000006
【図５】
2007000129.tif 000007
【図６】
2007000129.tif 000008